(57)【要約】【課題】仏具や供え物を安全に保管することが可能であり、拝礼時には、仏具や供え物を容易に取り出して陳列することが可能な墓用仏具収納台を提供する。【解決手段】本発明に係る墓用仏具収納台８は、墓石の前に設置して、仏具や供え物を収納するためのものであって、ベース板１上に左右一対のサイドブロック２、２を介して天板３が設置され、両サイドブロック２、２の間には、円筒状の回転式収納庫４が鉛直軸回りに回転可能に支持されている。該回転式収納庫４は、一方向に開口すると共に他方向には閉止された収納室４０を有し、収納室４０を両サイドブロック２、２間にて前方へ開口させた第１の回転姿勢と、収納室４０を両サイドブロック２、２間にて前方へ閉口させた第２の回転姿勢との間で、回転操作が可能である。【選択図】　　　図２
2004100341.tif 000002
【特許請求の範囲】
【請求項１】
墓石の前に設置して、仏具や供え物を収納するための墓用仏具収納台であって、ベース板（１）上に左右一対のサイドブロック（２）（２）を介して天板（３）が設置され、両サイドブロック（２）（２）の間には、円筒状の回転式収納庫（４）が鉛直軸回りに回転可能に支持されており、該回転式収納庫（４）は、一方向に開口すると共に他方向には閉止された収納室（４０）を有し、収納室（４０）を両サイドブロック（２）（２）間にて前方へ開口させた第１の回転姿勢と、収納室（４０）を両サイドブロック（２）（２）間にて前方へ閉口させた第２の回転姿勢との間で、回転操作が可能であること特徴とする墓用仏具収納台。
【請求項２】
回転式収納庫（４）は、それぞれ円板状の下板（４１）と上板（４２）の間に、約１８０度の角度範囲が欠落した半円筒状の周壁（４３）を形成して構成されている請求項１に記載の墓用仏具収納台。
【発明の詳細な説明】
【０００１】
【発明の属する技術分野】
本発明は、墓石の前に設置して、仏具や供え物を収納するための墓用仏具収納台に関するものである。
【０００２】
【従来の技術】
従来、墓石の前に、香炉、線香立て、ろうそく立て等の仏具や、湯飲み茶碗等の供え物を陳列して、拝礼することが行なわれている。拝礼の終了後は、仏具は必要に応じて持ち帰り、供え物は墓石の前に放置しておくこととなる。
【０００３】
【発明が解決しようとする課題】
しかしながら、拝礼の終了後に墓石の前に放置された仏具や供え物は、風雨に晒されて破損したり、猫や鼠などの動物によって荒らされたりする虞がある。
そこで本発明の目的は、仏具や供え物を安全に保管することが可能であり、拝礼時には、仏具や供え物を容易に取り出して陳列することが可能な、墓用仏具収納台を提供することである。
【０００４】
【課題を解決する為の手段】
本発明に係る墓用仏具収納台は、墓石の前に設置して、仏具や供え物を収納するためのものであって、ベース板（１）上に左右一対のサイドブロック（２）（２）を介して天板（３）が設置され、両サイドブロック（２）（２）の間には、円筒状の回転式収納庫（４）が鉛直軸回りに回転可能に支持されており、該回転式収納庫（４）は、一方向に開口すると共に他方向には閉止された収納室（４０）を有し、収納室（４０）を両サイドブロック（２）（２）間にて前方へ開口させた第１の回転姿勢と、収納室（４０）を両サイドブロック（２）（２）間にて前方へ閉口させた第２の回転姿勢との間で、回転操作が可能である。
【０００５】
上記本発明の墓用仏具収納台においては、回転式収納庫（４）を第１の回転姿勢まで回転させることによって、収納室（４０）の開口が両サイドブロック（２）（２）の間の前面側に移動して、収納室（４０）が開かれることになる。そこで、収納室（４０）内に仏具や供え物を収納する。
そして、収納室（４０）に仏具や供え物を収納した状態で、或いは収納室（４０）から仏具や供え物を取り出して、天板（３）の上に陳列した状態で、拝礼を行なう。
拝礼の終了後は、回転式収納庫（４）を第２の回転姿勢まで回転させることによって、収納室（４０）の開口が背面側に移動し、収納室（４０）が閉じられることなる。これによって、収納室（４０）内の仏具や供え物が風雨や動物による被害から保護される。
【０００６】
具体的には、回転式収納庫（４）は、それぞれ円板状の下板（４１）と上板（４２）の間に、約１８０度の角度範囲が欠落した半円筒状の周壁（４３）を形成して構成されている。
該具体的構成によれば、回転式収納庫（４）を第１の回転姿勢まで回転させることによって、周壁（４３）が背面側に移動して、収納室（４０）が開かれる。又、回転式収納庫（４）を第２の回転姿勢まで回転させることによって、周壁（４３）が前面側に移動して、収納室（４０）が閉じられる。
【０００７】
又、具体的には、回転式収納庫（４）は、それぞれ円板状の下板（４１）と上板（４２）の間に、約１８０度の角度範囲が欠落した半円柱状の支柱（４５）を形成して構成されている。
該具体的構成によれば、回転式収納庫（４）を第１の回転姿勢まで回転させることによって、支柱（４５）が背面側に移動して、収納室（４０）が開かれる。又、回転式収納庫（４）を第２の回転姿勢まで回転させることによって、支柱（４５）が前面側に移動して、収納室（４０）が閉じられる。
【０００８】
【発明の効果】
本発明に係る墓用仏具収納台によれば、回転式収納庫（４）を単に回転させるだけの簡易な操作で、回転式収納庫（４）を閉じ、収納室（４０）に収納された仏具や供え物を安全に保管することが可能である。又、拝礼時にも、回転式収納庫（４）を単に回転させるだけの簡易な操作で、回転式収納庫（４）を開き、必要に応じて収納室（４０）内の仏具や供え物を取り出して、天板（３）の上に陳列することが可能である。
【０００９】
【発明の実施の形態】
以下、本発明の実施の形態につき、図面に沿って具体的に説明する。
図１に示す如く、本発明に係る仏具収納台（８）は、墓石（９）の前に設置して使用される。
仏具収納台（８）は、図２〜図７に示す如く、ベース板（１）と、ベース板（１）上に配置された左右一対のサイドブロック（２）（２）と、サイドブロック（２）（２）上に設置された天板（３）と、両サイドブロック（２）（２）の間に配置されて鉛直軸回りに回転可能な円筒状の回転式収納庫（４）とから構成され、全てが石材を加工して形成されている。
【００１０】
各サイドブロック（２）は、内部に収納室を有して、図９に示す如く、前面に配置された引き戸を外側へ移動させることによって収納室を開くことが出来るものである。収納室内には、図示の如くローソク（７２）や線香（７３）を立てることが出来る。
天板（３）は、平坦な水平の表面を有し、該表面の両端部には、図２の如く左右一対の花生け用の穴（３１）（３１）が凹設されている。天板（３）の上には、図９の如く花瓶（７４）（７４）を設置することも可能である。
【００１１】
回転式収納庫（４）は、図８に示す様に、それぞれ円板状の下板（４１）と上板（４２）を具えると共に、下板（４１）と上板（４２）を互いに連結する半円筒状の周壁（４３）を具えて、その内部に、図２の如く鐘（７）等の仏具や湯飲み茶碗（７１）等の供え物を収容するための収納室（４０）を形成している。
図８に示す様に、下板（４１）の裏面及び上板（４２）の表面にはそれぞれ、円形の軸受け凹部（４４）が形成されており、該軸受け凹部（４４）には、金属製の軸受け片（６）が嵌合して、回転式収納庫（４）に対する回転支持構造が構成される。
【００１２】
上記仏具収納台（８）においては、図２、図４及び図６に示す如く、収納室（４０）を両サイドブロック（２）（２）間にて前方へ開口させた第１の回転姿勢と、図３、図５及び図７に示す如く、収納室（４０）を両サイドブロック（２）（２）間にて前方へ閉口させた第２の回転姿勢との間で、双方向に１８０度の回転操作が可能である。
【００１３】
図２、図４及び図６に示す如く、回転式収納庫（４）を第１の回転姿勢まで回転させることによって、周壁（４３）が背面側に移動し、収納室（４０）の開口が両サイドブロック（２）（２）間の前面側に移動して、収納室（４０）が開かれることになる。そこで、収納室（４０）内に仏具や供え物を収納する。
そして、収納室（４０）に仏具や供え物を収納した状態で、或いは収納室（４０）から仏具や供え物を取り出して、天板（３）の上に陳列した状態で、拝礼を行なう。
【００１４】
拝礼の終了後は、図３、図５及び図７に示す如く、回転式収納庫（４）を第２の回転姿勢まで１８０度回転させることによって、収納室（４０）の開口が背面側に移動し、周壁（４３）が前面側に移動して、収納室（４０）が閉じられることなる。これによって、収納室（４０）内の仏具や供え物が風雨や動物による被害から保護される。
【００１５】
尚、本発明の各部構成は上記実施の形態に限らず、特許請求の範囲に記載の技術的範囲内で種々の変形が可能である。例えば、回転式収納庫（４）は、図１０に示す如く、それぞれ円板状の下板（４１）と上板（４２）の間に、約１８０度の角度範囲が欠落した半円柱状の支柱（４５）を形成して構成することも可能である。
又、回転式収納庫（４）に対する回転支持機構としては、図１１に示す如きスラストベアリング（６１）によって回転式収納庫（４）の裏面を支持する構造を採用することも可能である。
【図面の簡単な説明】
【図１】墓石の前に本発明に係る仏具収納台を設置した状態を示す斜視図である。
【図２】本発明に係る仏具収納台の回転式収納庫を開いた状態の斜視図である。
【図３】本発明に係る仏具収納台の回転式収納庫を閉じた状態の斜視図である。
【図４】本発明に係る仏具収納台の回転式収納庫を開いた状態の正面図である。
【図５】本発明に係る仏具収納台の回転式収納庫を閉じた状態の正面図である。
【図６】本発明に係る仏具収納台の回転式収納庫を開いた状態の右側面図である。
【図７】本発明に係る仏具収納台の回転式収納庫を閉じた状態の右側面図である。
【図８】回転式収納庫と回転支持機構の分解斜視図である。
【図９】本発明に係る仏具収納台の使用状態を表わす正面図である。
【図１０】回転式収納庫の他の構成例を示す斜視図である。
【図１１】他の回転支持機構を構成するベアリングの斜視図である。
【符号の説明】
（１）　ベース板
（２）　サイドブロック
（３）　天板
（４）　回転式収納庫
（４０）　収納室
（４１）　下板
（４２）　上板
（４３）　周壁
（４４）　軸受け凹部
（４５）　支柱
（６）　軸受け片
（８）　仏具収納台
（９）　墓石
【図１】
2004100341.tif 000003
【図２】
2004100341.tif 000004
【図３】
2004100341.tif 000005
【図４】
2004100341.tif 000006
【図５】
2004100341.tif 000007
【図６】
2004100341.tif 000008
【図７】
2004100341.tif 000009
【図８】
2004100341.tif 000010
【図９】
2004100341.tif 000011
【図１０】
2004100341.tif 000012
【図１１】
2004100341.tif 000013